(57)【要約】【課題】安定性に優れ、しかも光ファイバの断線修理などの異常修復が簡単に行え、部品の製作、取り扱い、施工なども容易なモニュメント型の光情報コンセントを提供する。【解決手段】支柱３を覆う上部閉鎖の筒状カバー４を、そのカバーの内部において支柱３の上部に着脱自在に連結し、その連結によりカバー４に下向きの引っ張り力を生じさせてカバー４をベース金具２に押しつけ、これによってカバー４と支柱３の安定性を高めるようにした。また、支柱３に対するカバー４の連結と、連結の解除を扉１５を開けて行えるようにし、下部をコンクリートなどで根巻きした後にもカバー４と支柱３を自由に着脱できるようにした。【選択図】  図２
2004246259.tif 000002
【特許請求の範囲】
【請求項１】
ベース金具とそのベース金具上に立設する光コネクタ取り付け用の支柱を着脱自在に連結し、さらに、支柱を覆う上部閉鎖の筒状カバーを支柱の上部において支柱に着脱自在に連結し、支柱に対する連結で筒状カバーに下向きの引っ張り力が加わって筒状カバーがベース金具に押圧されるようにしたモニュメント型光情報コンセント。
【請求項２】
支柱に対する筒状カバーの連結が縦向きに配置するボルトによってなされ、かつ、その連結が筒状カバーの内部においてなされている請求項１に記載のモニュメント型光情報コンセント。
【請求項３】
筒状カバーの上部に、外部から支柱に光コネクタを取り付けるための扉を設け、その扉を開けて筒状カバーと支柱の連結操作を行うようにした請求項１または２に記載のモニュメント型光情報コンセント。
【請求項４】
ベース金具に嵌合用ガイドを設け、その嵌合用ガイドに筒状カバーの下部を嵌合させた請求項１乃至３のいずれかに記載のモニュメント型光情報コンセント。
【請求項５】
ベース金具上に筒状カバーと同径のパイプで形成されたボス部とそのボス部の内側に嵌まるボス部よりも丈の高い内パイプを設け、この内パイプを前記嵌合用ガイドにして筒状カバーの下部内面に嵌合させるようにした請求項４記載のモニュメント型光情報コンセント。
【請求項６】
ベース金具とカバーの一部に、相互位置決め用の凹凸を対応して設けた請求項１乃至５のいずれかに記載のモニュメント型光情報コンセント。
【発明の詳細な説明】
【０００１】
【発明の属する技術分野】
この発明は、防災ネットワーク等の光通信網に利用される光情報コンセントに関する。
【０００２】
【従来の技術】
光情報コンセントは、河川、道路等を管理するための光ファイバを用いたネットワークの一部として、常時は使用されないが、異常発生時あるいは必要に応じて、現場に通信機器を設置してネットワークの一部として情報を管理所に送信するための現地側に設置される装置、およびそこで使用するための現地可搬装置、可搬装置からの情報を管理所で目視できるように変換するために管理所に設置される機器の総称である。
【０００３】
この光情報コンセントとしては、下記の特許文献に示されるものなどがある。
【０００４】
【特許文献１】
特開２００２−１９６１８８号公報
【特許文献２】
特開２００２−０８４６１７号公報
【特許文献３】
特開２００１−０９１７５６号公報
【特許文献４】
特開２００１−０９１７５７号公報
【０００５】
この装置は、当初アナログ方式が開発され、その後、インターネットに代表されるＴＣＰ／ＩＰプロトコルによる通信が普及した結果、ＰＣ（パーソナルコンピュータ）との親和性が高く、直接現地と情報を遣り取りできるディジタル方式が開発され、現在その基盤が整備されつつある。
【０００６】
この発明が改善の対象とするのは、現地に設置する可搬式の機器を接続するための現地設備であり、風雨にさらされる現場での使用を考慮した構造をもつもの、中でもモニュメント型（柱状）の光情報コンセントである。
【０００７】
このモニュメント型光情報コンセントは、光ファイバケーブルの引き込み口を有するベース金具と、そのベース金具上に立設する支柱と、支柱を覆い隠す筒状カバーとで構成され、光コネクタを支柱に取り付ける構造にしてある。このモニュメント型光情報コンセントの従来品は、現地施工の手順として先に光関連要素の施工を行い、光ファイバケーブルの本線側から分岐を取ってコンセントに接続する作業を完了した後に作業の支障とならないように外しておいたカバーを取り付ける必要があることから、筒状カバーを独立させ、上記の作業を終えた後にこの筒状カバーをベース金具に固定するようにしている。
【０００８】
ベース金具に対する筒状カバーの固定は、ベース金具に嵌合用の筒部を設け、その筒部の内側又は外側に筒状カバーの下部を嵌め、ベース金具と筒状カバーの嵌合部をボルトで互いに固定する方法でなされており、固定後にいたずら防止のためにボルトをベース金具と共にコンクリートでモールドしたり、ボルトの操作部を上部開放のボックスで囲ってボックスの外側をコンクリートでモールドし、ボックス内にコンクリートよりも除去し易いコンパウンドを充填するなどの方法が採られている。
【０００９】
【発明が解決しようとする課題】
従来のモニュメント型光情報コンセントは、上述した通り、筒状カバーをベース金具に固定しているが、この構造ではベース金具に対するカバーの取り付け部がコンクリートやコンパウンド中に埋まってしまい、従って、一度モールドされると、カバーを簡単に外せなくなり、光ファイバの断線等が発生してその修理を行うときの作業性が良くないと言う問題があった。
【００１０】
また、筒状カバー及び支柱の固定が下部のみで行われ、上部に固定力が加わらないため、カバーと支柱の固定が安定せず、強度的に弱い装置となる問題もあった。
【００１１】
この発明は、かかる問題を解決し、併せて設置工事の容易化等も可能ならしめることを課題としている。
【００１２】
【課題を解決するための手段】
上記の課題を解決するため、この発明においては、モニュメント型光情報コンセントのベース金具とそのベース金具上に立設する光コネクタ取り付け用の支柱を着脱自在に連結し、さらに、支柱を覆う上部閉鎖の筒状カバーを支柱の上部において支柱に着脱自在に連結し、支柱に対する連結により筒状カバーに下向きの引っ張り力が加わって筒状カバーがベース金具に押圧されるようにした。
【００１３】
支柱に対する筒状カバーの連結は縦向きに配置したボルトで行うのがよく、また、その連結は筒状カバーの内部において行うのが好ましい。
【００１４】
筒状カバーの上部に、外部から支柱に光コネクタを取り付けるための扉を設け、その扉を開けて筒状カバーと支柱の連結操作を行うようにするとなお好ましい。
【００１５】
このほか、ベース金具に嵌合用ガイドを設けてその嵌合用ガイドに筒状カバーの下部を嵌合させたり、ベース金具とカバーの一部に、相互位置決め用の凹凸を対応して設けたりすることができ、この嵌合用ガイドや位置決め用の凹凸を備えさせるのも好ましい。
【００１６】
ベース金具上に筒状カバーと同径のパイプで形成されたボス部とそのボス部の内側に嵌まるボス部よりも丈の高い内パイプを設け、この内パイプを前記嵌合用ガイドにして筒状カバーの下部内面に嵌合させる構造にしたものが特に好ましい。
【００１７】
【作用】
この発明のモニュメント型光情報コンセントは、筒状カバーを支柱の上部に連結してこのカバーに下向きの引っ張り力を加えるようにしており、ここに、この発明の大きな特徴がある。
【００１８】
筒状カバーは、これを被せる時の内部部材の引っ掛かり防止や傷つき防止のために支柱との接触が起こらないようにするのが一般的であり、また、このカバーを高い位置で支柱に固定するとカバーの支持安定性が支柱の強度に左右されるため、筒状カバーを支柱に連結すること、および支柱に対する筒状カバーの連結部をカバーの上部に設けることは常識的には考えられず、従来そのようなことは行われていない。
【００１９】
この発明では、その構造を敢えて採用している。筒状カバーを支柱の上部に連結してカバーに下向きの引っ張り力を加えるとカバーをベース金具に押しつけてカバーの全体に圧縮力を作用させることができ、これにより、カバーの下部をベース金具に固定する従来品に比べてカバーの固定が安定する。また、支柱も上下の２箇所で固定されて強化され、安定性が向上する。
【００２０】
また、カバーの固定を上部で行えば、連結部がコンクリートなどの中に埋設されることがなくなり、必要時にカバーを簡単に着け外しすることも可能になる。
【００２１】
なお、この発明においては、支柱もベース金具に対して着脱自在にしているので、カバーだけでなく必要に応じて支柱も取り外して光ファイバの断線修理等を行うことができ、修復を作業性良く行える。
【００２２】
また、ベース金具、支柱、筒状カバーの３者を分割したことにより、各部品の単品重量が軽減されるため、部品の製作性、取り扱い性、施工性が向上し、製作時間の短縮やコスト低減も可能になる。大きな一体物は重くて加工、搬送、組み立てが大変になるが、この問題も解消される。さらに、現場ではベース金具があればコンクリート打ち等の基礎施工が行え、支柱やカバーは後から搬入することができるので、製作、施工の段取り設定にも自由度が生じる。
【００２３】
なお、好ましいとした他の構成の作用、効果は次項で述べる。
【００２４】
【発明の実施の形態】
この発明のモニュメント型光情報コンセントの実施形態を図１乃至図６に基づいて説明する。
【００２５】
モニュメント型光情報コンセント１は、図１に示すように、通常円柱状の外観を成し、地上から直立する状態にして必要箇所に設置される。例えば、河川、道路の管理に利用される光ネットワークにおいては、道路脇（歩道部）や河川の堤防沿いに約１Ｋｍ間隔で設置される。
【００２６】
図１の光情報コンセント１は、図２に示すように、ベース金具２と、支柱３と、上部閉鎖の円筒状カバー４を独立させ、支柱３をベース金具２に、カバー４を支柱３にそれぞれ１ボルトで固定するようにしている。
【００２７】
図３、図４にベース金具２の詳細を示す。このベース金具２は、貫通したケーブル引き込み口５を中心部に設け、さらに、外周寄りに複数の取り付け穴６を設け、上面にリブプレート７（図４参照）と、円筒状のボス部８（図３参照）を立設した構造にし、光コネクタを接続する支線系の光ファイバケーブルを引き込み口５から内部に引き込むようにしている。リブプレート７とボス部８は、溶接するなどしてベース金具２に一体化している。また、ボス部８は、材料の利用効率を高めてコストを下げるため、および装置の外観をスマートにするためにカバー４と同径のパイプで形成している。
【００２８】
設置箇所の基礎部に植えた固定用ボルト（図示せず）を取り付け穴６に通し、そのボルトに螺合させたナットでベース金具２を基礎部に固定し、その後、いたずら防止のためにナットをコンクリート等でモールドして覆い隠すが、スペース的な余裕があれば固定用ボルトをボス部８の内側に配置してナットのモールドを省いてもよい。
【００２９】
リブプレート７は、支柱３の下部をボルトで固定するために設けている。支柱３は図の２本柱タイプのほかに１本柱タイプもあり、それに合わせてリブプレート７の数と形状が定められる。なお、支柱の支持具は図示のリブプレート７に代えて支柱が適合して嵌まるパイプなどを用いてもよい。
【００３０】
このように、支柱３をベース金具２にボルトで固定すると、現地据え付け時の作業がし易く、支柱の取外し、再組付けなども自由に行える。
【００３１】
支柱３には、光コネクタ（レセプタクル）を組み込むためのボックス９と光ファイバケーブルの余長部や融着接続部を収納する取り合い用のボックス１０が取り付けられる。図２の１１は、支柱３の上部に溶接するなどして取り付けた連結部材である（１本柱タイプのものは支柱に取り付けるボックス９の上部に連結部材１１を取り付ける）。図５及び図６に示すように、連結部材１１に対応させた連結部材１２をカバー４の内部に一体化して設け、カバー取り付け時に連結部材１１と向き合う連結部材１２をボルト１３とナット１４で支柱３と一体の連結部材１１に固定するようにしている。ボルト１３は連結部材１２に固定しておくと好ましい。
【００３２】
ボルト１３に対するナット１４の着け外しは、カバー４の外部から行う。その操作は鍵付き扉を有する専用の操作口を設けて行うこともできるが、例示のコンセントは、光コネクタを外部から取り付けるための扉１５をカバー４の上部に設け、その扉１５を開けてそこからナットの着け外しが行えるようにしている。
【００３３】
連結部材１１、１２間には、カバー４の下部がベース金具２に受け支えられた位置で図６に示すように適度の隙間が生じるようにしており、ボルト１３に螺合させたナット１４を締めつけると、支柱３が反力受けとなってカバー４に下向きの引っ張り力が加わり、この力でカバー４の下部がベース金具２に押しつけられてカバー４の全域に圧縮力が作用し、また、支柱３には引っ張り力が作用してカバー４と支柱３が安定した状態に固定されるようになっている。
【００３４】
扉１５は、鍵をかけられる構造にしておく。このように、カバー４と支柱３の連結部をカバーの内部に設けると、いたずら防止の効果を簡単に高めることができ、カバー４の自由な着脱も可能ならしめることができる。
【００３５】
従来品は、いたずら防止のためにカバーの下部をベース金具にボルトで固定してそのボルトをコンクリートでモールドしたり、カバーを取り付けた後にボルトの操作部を上部開放のボックスで囲い、そのボックスの外側をコンクリートでモールドし、ボックス内にコンパウンドを充填したりしているが、この方法を採ると、カバーを外す必要が生じた時の対応が煩雑になる。カバーを外すために根巻きしたコンクリートを一々掘り返したり、ボックス内のコンパウンドを取り除いたりする必要があり、余分な手間と時間を費やす。
【００３６】
また、カバーを簡単に取り外せないため、従来は、装置設置近傍のハンドホール内にある支線系の光ファイバケーブルとコンセントを接続するための光ファイバケーブルを付属させて製品を出荷していたが、支柱３との連結部をカバー４の内部に設ければ必要時に連結を解いてカバー４を取り外すことができるので、光ファイバケーブルを付属させる必要もなくなる。付属光ファイバケーブルは、設置現場に合わせて長さ調節を行ったものが必要である。しかし、設置場所が施工期限間近まで決まらないことが多く、その場合、付属光ファイバケーブルの長さを決定できず、施工に支障を来すことがあったが、この不具合もなくなる。
【００３７】
図示のコンセントは、光コネクタ取り付け用の扉１５を兼用してそこからカバー連結用のナット１４を操作するので、連結具操作用の開口部を別途設ける必要がなく、コスト低減が図れ、外観も良くなる。
【００３８】
ベース金具２に設けたボス部８の内側には、カバー４の内側に適合して嵌まる嵌合用ガイド（図のそれは打ちパイプで形成されるいんろう）１６を設けている。また、このガイド１６の外面にはカバー４との位置合わせを行う凸部１７を設けている。カバー４の下部内面には凸部１７が適合して嵌まる凹部１８を設けるが、この凹部１８と凸部１７は位置関係を例示のものと逆にしてもよい。
【００３９】
ベース金具２にカバー４との嵌合用ガイド１６を設けると、カバー固定の安定性がさらに高まる。また、スマートな感じが損なわれず外観も向上する。さらに、嵌合用ガイド１６をカバー４の内側に設けるとガイドが返しとして働くため、内部への雨水等の浸入も起こり難くなる。
【００４０】
このほか、凸部１７を凹部１８に嵌合させるようにしたので、カバー４の取り付け方向が正確に定まる。なお、凹部１８を嵌合用ガイド１６の外面に設け、その凹部１８をガイド１６の下端まで延ばしてボス部８との間に隙間を生じさせ、その隙間を外部に開放させる切欠きをボス部８の下端に設けると、その隙間が水抜き通路となってガイド１６とカバー４およびガイド１６とボス部８の嵌合面にしみ込んだ水が排出され易くなる。
【００４１】
以上の構成とした、図示の光情報コンセント１は、扉１５を開けてカバー４を支柱３から簡単に取り外すことができ、また、必要に応じて支柱３をベース金具２から取り外すこともできる。従って、光ファイバに断線などの異常が発生したときの対応が簡単になり、各部品の製作、取り扱い、施工なども簡単になる。また、いたずら防止のために無駄な手間が増加することもない。
【００４２】
【発明の効果】
以上述べたように、この発明のモニュメント型光情報コンセントは、カバーを支柱の上部に連結したので、異常発生などによってカバーを取り外す必要が生じたときの対応が容易で、対応に無駄な手間や時間を費やすことがなくなる。
【００４３】
また、支柱の上部にカバーを連結したときにカバーに下向きの引っ張り力が作用してカバーがベース金具に押圧され、支柱も上下の２ヵ所で固定されるため、カバー及び支柱が安定し、強度面でも有利になる。
【００４４】
このほか、ベース金具、支柱、カバーの３者を分割したことにより、単品の重量が軽減されるため、各部品の製作性、取り扱い性、施工性も良くなる。
【００４５】
また、支柱とカバーの連結部をカバーの内部に設けたものは、いたずら対策が煩雑にならない。
【００４６】
連結操作を光コネクタ取り付け用の扉を開けて行うものは、専用の操作口を設ける必要がなく、コスト面や外観維持の面でも有利になる。
【００４７】
また、ベース金具にカバーとの嵌合用ガイドを設けたものは、カバー固定の安定性や外部からの浸水防止の効果が高まる。
【００４８】
さらに、ベース金具とカバーに位置決め用の凹凸を対応して設けたものは、カバーを簡単に正確に取り付けることが保証される。
【図面の簡単な説明】
【図１】光情報コンセントの実施形態を示す組み立て外観図
【図２】同上のコンセントの分解斜視図
【図３】ベース金具の拡大斜視図
【図４】ベース金具の内部構造を示す斜視図
【図５】カバー連結部の詳細を示す拡大斜視図
【図６】カバー連結部の断面図
【符号の説明】
１          モニュメント型光情報コンセント
２          ベース金具
３          支柱
４          カバー
５          ケーブル引き込み口
６          取り付け穴
７          リブプレート
８          ボス部
９、１０    ボックス
１１、１２  連結部材
１３        ボルト
１４        ナット
１５        扉
１６        嵌合用ガイド
１７        凸部
１８        凹部
【図１】
2004246259.tif 000003
【図２】
2004246259.tif 000004
【図３】
2004246259.tif 000005
【図４】
2004246259.tif 000006
【図５】
2004246259.tif 000007
【図６】
2004246259.tif 000008